(57)【要約】【課題】術後、外衣や手袋に付着した汚れが体に付着するおそれがなく、しかも、介助者の手を借りずに、自分で容易かつ短時間に脱ぐことができる医療用外衣を提供する。【解決手段】前身頃１と、後身頃３と、前身頃１および後身頃３の肩部と連続する一対の袖部４とを備えた医療用外衣であって、前身頃１の襟部２に、前身頃１を手で引き裂いて外衣を脱ぐ際の引き裂きの起点となる２本のスリット５が平行に形成され、スリット５間の襟部２に摘み６が取り付けられている。【選択図】図１
2014163022.tif 000002
【特許請求の範囲】
【請求項１】
前身頃と、後身頃と、前記前身頃および前記後身頃の肩部と連続する一対の袖部とを備えた医療用外衣であって、前記前身頃の襟部に、前記前身頃を手で引き裂いて外衣を脱ぐ際の引き裂きの起点部が形成されていることを特徴とする医療用外衣。
【請求項２】
前身頃と、後身頃と、前記前身頃および前記後身頃の肩部と連続する一対の袖部と、前記前身頃の襟部に取り付けられたマスクとを備えた医療用外衣であって、前記マスクが取り付けられていない部分の前記襟部に、前記前身頃を手で引き裂いて外衣を脱ぐ際の引き裂きの起点部が形成されていることを特徴とする医療用外衣。
【請求項３】
前記起点部は、スリットからなっていることを特徴とする、請求項１または２に記載の医療用外衣。
【請求項４】
前記スリットは、間隔をあけて２本、平行に形成されていることを特徴とする、請求項３に記載の医療用外衣。
【請求項５】
前記スリットは、間隔をあけて２本、ハの字状に形成されていることを特徴とする、請求項３に記載の医療用外衣。
【請求項６】
前記スリットは、間隔をあけて２本、逆ハの字状に形成されていることを特徴とする、請求項３に記載の医療用外衣。
【請求項７】
前記スリットの近傍に摘みが取り付けられていることを特徴とする、請求項３から６の何れか１つに記載の医療用外衣。
【発明の詳細な説明】
【技術分野】
【０００１】
この発明は、外科手術や血管造影検査などの際に医師が着用する医療用外衣に関するものであり、具体的には、後身頃が閉じられる背側閉じ合わせ型の医療用外衣において、術後、外衣や手袋に付着した汚れが体に付着するおそれがなく、しかも、介助者の手を借りずに、自分で容易かつ短時間に脱ぐことができる医療用外衣に関するものである。
【背景技術】
【０００２】
一般的に外科手術などを行う際には、菌の侵入などを防止するために、手術中に患者に接する前身頃には、開きや縫い目を作らず、後身頃を紐などにより閉じ合わせる背側閉じ合わせ型の医療用外衣が用いられる。また、当該医療用外衣を着用する際、手を背面に回して医療用外衣を着用することは、確実な無菌操作が求められる外科手術等の医療処置を行う上では洗浄、消毒した手や前腕部分などが不潔となるため、行ってはならない着用方法とされている。
【０００３】
従って、一般的な医療用外衣は、必ず介助者と呼ばれる医療用外衣の着用を補助する者によって（１）後身頃を閉じ合わせてもらい、（２）背面で後身頃に取り付けられている紐を縛ってもらい（通常、首部分と腰部分の２箇所取り付けられている。また、ベルクロ（登録商標）を使用しているものもある）、（３）前胸部にある紐を着用者が介助者に渡し、介助者が着用者の背中を回って着用者に該紐を渡したあと、着用者が前胸部の紐と腰紐部の紐を縛るという着用手順をとる必要があった。
【０００４】
このような背側閉じ合わせ型の医療用外衣の一例が特許文献１に開示されている。この従来外衣Ａは、図１０の着用前の従来外衣Ａを示す正面図に示すように、前身頃１１と、後身頃一方半部１２ａと、後身頃他方半部１２ｂと、袖１３と、紐１４ａと１４ｂと、紐１５ａと１５ｂ、紐１６ａと１６ｂとを備え、図１１の着用後の従来外衣Ａを示す背面図に示すように、後身頃一方半部１２ａと後身頃他方半部１２ｂとを、紐１４ａと１４ｂ、紐１５ａと１５ｂ、および、紐１６ａと１６ｂをそれぞれ縛ることにより閉じ合わせて着用するものである。
【０００５】
また、別の医療用外衣の一例が特許文献２に開示されている。この従来外衣Ｂは、図１２の従来外衣Ｂを示す正面図、および、図１３の従来外衣Ｂを示す背面図に示すように、外科手術時に着用する首下から上下肢、胸腹部、背中、腰部、臀部を覆え、背中で合わせる形式であって、襟部１７の部分を、切れ目のない四角に構成し、その後辺１７ａにゴムを入れて伸縮性を持たせ、頭部を内側から襟部１７を通して出すようにするだけで着用が可能となっている。
【０００６】
この外衣を着用するには、表裏反転状態で梱包されている手術衣を、装着者が取り出し、まず、両腕の清潔を維持したまま後ろの合わせ１８の部分を観音開きにし、袖１９を通しながら裾を床に着かないように下に落とす。次いで、その腕を上に持ち上げることにより外衣自体を持ち上げ、そのまま後ろの合わせ１８から頭を通し、後頭部を襟部１７の後辺１７ａに押し付け、両腕で引くようにして頭を通す。次いで、前胸部にかけている紐２０を背中から回し、腰部に固定されている紐２１と結んで着用する。
【０００７】
この医療用外衣によれば、襟部１７の部分を切れ目のない四角に構成し、その後辺１７ａにゴムを入れて伸縮性を持たせ、頭部を内側から襟部１７を通して出すようにするだけで着用することができ、従来外衣Ａと同様、前胸部にある紐２０を背中に回して腰部に固定してある紐２１と結び、医療用外衣を身体に固定する必要があるため確実な無菌操作ができず、手や前腕部分などが不潔となるという問題はあるものの、介助者の手を借りずに着用することができる。
【先行技術文献】
【特許文献】
【０００８】
【特許文献１】特開平１１−３６１１４号公報
【特許文献２】特開２００４−２３８７７３号公報
【発明の概要】
【発明が解決しようとする課題】
【０００９】
特許文献１に記載された、紐などを結ぶ操作をして着用する背側閉じ合わせ型の従来外衣Ａを着用者自身で脱ぐ場合、以下のような問題があった。
【００１０】
術後、外衣を脱ぐには、医師などが手袋を取った後、紐、特に首回り部分の紐１６ａ、１６ｂを解く際に、手術時に外衣に付着した汚れが手や顔などに付着したり、さらに当該汚れた手が顔に近づくことによる感染のおそれがあった。
【００１１】
また、医師などが手袋を着けたまま外衣を脱ぐ場合には、手袋に付着した汚れが顔などに付着したり、さらに手袋に付着した汚れが顔に近づくことによる感染のおそれがあった。
【００１２】
このような理由から、従来外衣Ａは、脱ぐ際も介助者が必要であった。
【００１３】
また、特許文献２に記載された襟部１７の部分が切れ目のない四角に構成されている従来外衣Ｂを着用者自身で脱ぐ場合、以下のような問題があった。
【００１４】
術後、外衣を脱ぐには、医師などの着用者自身が自分の手で外衣を摘んで上方に引っ張るなどして、外衣を頭から抜き取らなければならない。その時、着用者が手袋を取った後、自分の手で外衣を摘んで上方に引っ張り、外衣を頭から抜き取る際に、手術時に外衣に付着した汚れが手や顔などに付着したり、さらに当該汚れた手が顔に近づくことによる感染のおそれがあった。
【００１５】
また、医師などが手袋を着けたまま外衣を脱ぐ場合には、手袋に付着した汚れが顔などに付着したり、さらに手袋に付着した汚れが顔に近づくことによる感染のおそれがあった。
【００１６】
さらに、外衣は、ほぼ身長と同じ程度の丈を有しているので、外衣を頭から完全に抜き取るまでに時間を要していた。
【００１７】
この発明は、上記課題を解決するためになされたものであって、術後、外衣や手袋に付着した汚れによって体が汚染されることも無ければ、感染のリスクも無く、しかも、介助者の手を借りずに、自分で容易かつ短時間に脱ぐことができる医療用外衣を提供することを目的とする。
【課題を解決するための手段】
【００１８】
この発明は、上記目的を達成するためになされたものであり、下記を特徴とする。
【００１９】
請求項１に記載の発明は、前身頃と、後身頃と、前記前身頃および前記後身頃の肩部と連続する一対の袖部とを備えた医療用外衣であって、前記前身頃の襟部に、前記前身頃を手で引き裂いて外衣を脱ぐ際の引き裂きの起点部が形成されていることに特徴を有するものである。
【００２０】
請求項２に記載の発明は、前身頃と、後身頃と、前記前身頃および前記後身頃の肩部と連続する一対の袖部と、前記前身頃の襟部に取り付けられたマスクとを備えた医療用外衣であって、前記マスクが取り付けられていない部分の前記襟部に、前記前身頃を手で引き裂いて外衣を脱ぐ際の引き裂きの起点部が形成されていることに特徴を有するものである。
【００２１】
請求項３に記載の発明は、請求項１または２に記載の発明において、前記起点部は、スリットからなっていることに特徴を有するものである。
【００２２】
請求項４に記載の発明は、請求項３に記載の発明において、前記スリットは、間隔をあけて２本、平行に形成されていることに特徴を有するものである。
【００２３】
請求項５に記載の発明は、請求項３に記載の発明において、前記スリットは、間隔をあけて２本、ハの字状に形成されていることに特徴を有するものである。
【００２４】
請求項６に記載の発明は、請求項３に記載の発明において、前記スリットは、間隔をあけて２本、逆ハの字状に形成されていることに特徴を有するものである。
【００２５】
請求項７に記載の発明は、請求項３から６の何れか１つに記載の発明において、前記スリットの近傍に摘みが取り付けられていることに特徴を有するものである。
【発明の効果】
【００２６】
この発明によれば、前身頃に設けられた襟部に、前身頃の引き裂きの起点部を形成することによって、外衣を自分の手で容易に引き裂くことができるので、外衣を介助者の手を借りずに、容易かつ短時間に脱ぐことができる。
【００２７】
また、この発明によれば、起点部が形成された襟部に摘みを取り付けることによって、外衣の切り裂きがさらに容易に行える。
【００２８】
さらに、この発明によれば、外衣を脱ぐ際に、自分の手で外衣を摘んで上方に引っ張り、外衣を頭から抜き取ったり、あるいは、紐を解くなどの操作が一切、不要となるので、手術時に外衣に付着した汚れが手や顔などに付着したり、さらに当該汚れた手が顔に近づくことによる感染のおそれがない。
【図面の簡単な説明】
【００２９】
【図１】この発明の医療用外衣を示す正面図である。
【図２】この発明の医療用外衣を示す背面図である。
【図３】図１のＡ部拡大斜視図である。
【図４】ハの字状にスリットが形成され、スリットが形成された襟部に摘みが取り付けられた、この発明の医療用外衣を示す部分正面図である。
【図５】逆ハの字状にスリットが形成され、スリットが形成された襟部に摘みが取り付けられた、この発明の医療用外衣を示す部分正面図である。
【図６】マスクが取り付けられた、この発明の医療用外衣の部分斜視図である。
【図７】襟部に矩形状の切り欠きが形成され、切り欠きの底部に摘みが取り付けられた、この発明の医療用外衣を示す部分正面図である。
【図８】襟部に蟻溝形状の切り欠きが形成され、切り欠きの底部に摘みが取り付けられた、この発明の医療用外衣を示す部分正面図である。
【図９】襟部に逆蟻溝形状の切り欠きが形成され、切り欠きの底部に摘みが取り付けられた、この発明の医療用外衣を示す部分正面図である。
【図１０】着用前の従来外衣Ａを示す正面図である。
【図１１】着用後の従来外衣Ａを示す背面図である。
【図１２】従来外衣Ｂを示す正面図である。
【図１３】従来外衣Ｂを示す背面図である。
【００３０】
この発明の医療用外衣の一実施態様を、図面を参照しながら説明する。
【００３１】
図１は、この発明の医療用外衣を示す正面図であり、図２は、この発明の医療用外衣を示す背面図であり、図３は、図１のＡ部拡大斜視図である。
【００３２】
図１から図３において、１は、襟部２が設けられた前身頃、３は、後身頃、４は、前身頃１および後身頃３の肩部と連続する一対の袖部、５は、襟部２の中央部に平行に形成された起点部としての２本のスリットである。なお、スリット５の形成位置は、襟部２の中央部に限定されない。また、スリット５は、襟部２から若干、前身頃１に食い込むように形成しても良い。スリット５は、術後、外衣を引き裂いて脱ぐ際に、外衣の引き裂きの起点となるものである。外衣は、使い捨てであれば、引き裂いても問題はない。６は、スリット５間の襟部２に取り付けられた摘みである。摘み６は、スリット５を起点として外衣を引き裂きやすくする機能を有するものである。なお、摘み６を設けずに、スリット５間の襟部２を手で摘んで外衣を引き裂いても良い。
【００３３】
スリット５の深さは、次のようにする。スリット５の深さが深いと、医療用外衣の内側であるアンダーウェアもしくは肌が露出することとなり、医療用外衣のバリアー性が損なわれるおそれがある。従って、上記問題が生じない深さとする。例えば、０．２ｃｍから５ｃｍ、好ましくは０．５ｃｍから３ｃｍ、より好ましくは、０．５ｃｍから１．５ｃｍの範囲内とする。
【００３４】
摘み６の幅は、摘みやすい、例えば、１ｃｍから５ｃｍ、好ましくは、２ｃｍから３ｃｍの範囲内とするが、特に、限定されない。摘み６は、外衣を引き裂く際に、ちぎれにくい不織布、布、樹脂製フィルムなどを使用すると良い。
【００３５】
摘み６の長さは、次のようにする。摘み６の長さが長いと、手術等の医療行為に邪魔になる恐れや、摘み６が視界に入ることによる手術の妨げになる恐れがある。また一方で、摘み６の長さが短いと、着用者が摘んだ際に手が首部分に触れたり、あるいは、手が口元に接近する恐れがある。従って、上記問題が生じない長さとする。例えば、３ｃｍから１０ｃｍ、好ましくは、５ｃｍから８ｃｍの範囲内とする。
【００３６】
なお、摘み６を設けない場合のスリット５の深さは、摘む部位の長さとなるため、上記課題を考慮すると０．５ｃｍから５ｃｍ、好ましくは２ｃｍから３．５ｃｍの範囲内が好ましい。
【００３７】
また、摘み６を設けない場合のスリット５の本数は、１本としても良い。この場合、スリット５が中間となるように両手で前身頃胸部付近等を掴み、外衣を引き裂いて脱ぐことができる。
【００３８】
なお、摘み６を設けず、スリット５が１本の場合のスリット５の深さも、０．５ｃｍから５ｃｍ、好ましくは２ｃｍから３.５ｃｍの範囲内が好ましい。
【００３９】
スリット５は、平行に形成する以外に、図４に示すように、ハの字状、あるいは、図５に示すように、逆ハの字状などに形成しても良い。スリット５をハの字状に形成した場合には、外衣が末広状に引き裂けるため脱ぎやすくなり、スリット５を逆ハの字状に形成した場合には、スリット５の下部コーナー部に引き裂き力が集中するので、外衣をより引き裂きやすくなる。
【００４０】
この発明の医療用外衣は、不織布からなっている。不織布としては、スパンレース、ニードルパンチ、メルトブローン、サーマルボンド、スパンボンド、ケミカルボンド等の各種製法により製造された不織布を用いることができ、不織布には、高い耐水性を有するメルトブローン不織布を高い強度を有しかつ柔軟性に富んだスパンボンド不織布で挟んだ複合不織布を使用することもできる。
【００４１】
不織布の構成としては、ポリオレフィン系、ポリエステル系、ポリアミド系の各繊維、ポリエチレン／ポリプロピレンやポリエチレン／ポリエステルからなる芯鞘型複合繊維またはサイドバイサイド型複合繊維を使用することができる。不織布には、開繊パルプやレーヨン、アセテート等のセルロース系繊維が混合されても良い。
【００４２】
なお、この発明の医療用外衣は、不織布以外の通常の布製であっても良い。この場合、縦方向に切り裂きやすい布を使用すると良い。
【００４３】
また、外衣をより引き裂きやすくするために、前身頃１の内側および外側の少なくとも一方側に、溶着や接着剤等により線状のリードを、スリット５の位置から裾へと伸びるように設けても良い。リードは、摘み６と同様にちぎれにくい不織布、布、樹脂製フィルムなどにより形成する。リードを設けると、摘み６を摘み、そのまま下方へ引き下げた際に、連動して下方へ引き下げられ、ガウンを確実に引き裂くことができる。しかも、引き裂きに要する力を低減できる効果もある。なお、リードは、摘み６と連続して一体形成しても良く、一体形成された摘み６とリードは、襟部２を覆うように折り返して、前身頃１の内側および外側の少なくとも一方側に取り付けても良い。
【００４４】
この発明の医療用外衣を、術後、脱ぐには、片手で摘み６を摘み、そのまま摘み６を下方に引き下げる。これにより、前身頃１は、図１中、ハッチングで示すように、襟部２からスリット５を起点として引き裂かれる。引き裂く長さは、前身頃１の全長でも良いが、ある程度の長さ引き裂けば、後は、外衣を両足から脱ぐことができる。このように、外衣を切り欠きを起点として引き裂くことによって、介助者の手を借りずに、自分で容易かつ短時間に外衣を脱ぐことができる。
【００４５】
図６に示すように、襟部２にマスク７が取り付けられている場合には、スリット５を、同図に示すように、マスク７が取り付けられていない襟部２に形成する。
【００４６】
外衣の引き裂きの起点部を、上述したスリット５以外に、図７に示すように、矩形状の切り欠き８としても良い。この場合、摘み６は、切り欠き８の底部に取り付ける。
【００４７】
切り欠き８の深さは、次のようにする。切り欠き８の深さが深いと、医療用外衣の内側にあるアンダーウェアもしくは肌が露出することとなり、医療用外衣のバリアー性が損なわれる恐れがある。従って、上記問題が生じない深さとする。例えば、０．２ｃｍから５ｃｍ、好ましくは、０．５ｃｍから３ｃｍ、より好ましくは、０．５ｃｍから１．５ｃｍの範囲内とする。
【００４８】
切り欠き８の形状は、矩形形状以外に、図８に示すように、蟻溝形状、あるいは、図９に示すように、逆蟻溝形状などであっても良い。切り欠き８を蟻溝形状に形成した場合には、外衣が末広状に引き裂けるため脱ぎやすくなり、切り欠き８を逆蟻溝形状に形成した場合には、切り欠き８の下部コーナー部に引き裂き力が集中するので、外衣をより引き裂きやすくなる。この効果は、摘み６の有無に無関係に生じる。
【００４９】
なお、前述したスリット５と同様に摘み６を設けないこともできるが、この場合の切り欠き８の幅は、２ｃｍ以下に細くても良いし、矩形形状、蟻溝形状及び逆蟻溝形状に加えて、Ｖ字形状としても良い。この場合、切り欠き８が中間となるように両手で前身頃胸部付近等を掴み、外衣を引き裂いで脱ぐことができる。
【００５０】
また、前述したスリット５の長さや切り欠き８の深さにすることによって、その長さや深さでのバリアー性が損なわれるリスクを最低限に抑えることができるが、当該リスクをより低減するために、スリット５を十分に覆う面積を有した不織布やフィルムを当てても良い。その際は、引き裂くのに妨げとならない程度の強度で不織布やフィルムを当てれば良く、例えば、弱粘着性の接着剤や、熱融着をドットで施しても良い。これにより、医療用外衣のバリアー性が損なわれるリスクが低減できる他、着用時にスリット５の長さや切り欠き８の深さが延長するように破ける恐れも無くすことができる。なお、上記当てる素材は、不織布やフィルム以外でも良く、また、当てるための方法も、弱粘着性の接着剤や熱融着をドットで施す以外の方法でも良く、特に限定されない。
【００５１】
以上説明したように、この発明によれば、前身頃１に設けられた襟部２に、スリット５や切り欠き８を形成することによって、これらの起点部を起点として外衣を容易に切り裂くことができるので、介助者の手を借りずに、自分で容易かつ短時間に外衣を脱ぐことができる。
【００５２】
また、この発明によれば、起点部が形成された襟部２に摘み６を取り付けることによって、外衣の切り裂きがさらに容易に行える。なお、スリット５や切り欠き８によって形成される起点部は、図１、図２及び図６には中央付近に設けられているが、任意の位置に設けても良い。例えば、中央付近以外の位置であれば、中央付近が汚れ易い手術等の医療行為の終了後、当該汚れを避けて引き裂くことができ、より安全に清潔に脱ぐことができる。その際の実施形態例としては、前身頃の襟部において、その左右の肩部近傍にそれぞれ１本のスリット５を形成すると共に、各スリット５の前身頃中央側に摘み６を形成して、両手でそれぞれの摘み６を下方へ下ろすように外衣を切り裂けば、汚れが飛び散る恐れをより低減でき、また切り裂きながら前身頃を丸めるようにして脱ぐことも可能となるため、外衣の廃棄も安全に行うことができる。なお、当該左右のスリット５は、平行でも良いし、ハの字でも良いし、逆ハの字であっても良い。また、スリット５の代わりに切り欠き８でも良い。
【００５３】
また、この発明によれば、外衣を脱ぐ際に、自分の手で外衣を摘んで上方に引っ張り、外衣を頭から抜き取ったり、あるいは、紐を解くなどの操作が一切、不要となるので、手術時に外衣に付着した汚れが手や顔などに付着したり、さらに当該汚れた手が顔に近づくことによる感染のおそれがない。
【符号の説明】
【００５４】
１：前身頃
２：襟部
３：後身頃
４：袖部
５：スリット
６：摘み
７：マスク
８：切り欠き
１１：前身頃
１２ａ：後身頃一方半部
１２ｂ：後身頃他方半部
１３：袖
１４ａ、１４ｂ：紐
１５ａ、１５ｂ：紐
１６ａ、１６ｂ：紐
１７：襟部
１７ａ：襟部の後辺
１８：後ろの合わせ
１９：袖
２０：紐
２１：紐
【図１】
2014163022.tif 000003
【図２】
2014163022.tif 000004
【図３】
2014163022.tif 000005
【図４】
2014163022.tif 000006
【図５】
2014163022.tif 000007
【図６】
2014163022.tif 000008
【図７】
2014163022.tif 000009
【図８】
2014163022.tif 000010
【図９】
2014163022.tif 000011
【図１０】
2014163022.tif 000012
【図１１】
2014163022.tif 000013
【図１２】
2014163022.tif 000014
【図１３】
2014163022.tif 000015